(57)【特許請求の範囲】
【請求項１】
基台に背を起倒可能に設け、この背に連動し得るように座を関連づけて、これら背及び座を、背が起立しかつ座が若干後傾した姿勢をとる第１の使用位置と、背が略水平に倒伏しかつ座が背と共に略面一な姿勢をとる第２の使用位置との間で移動させ得るようにしたものであって、
前記座を基台に回動可能に枢着し、その座の後部に背の下端部を枢結するとともに、背及び座の前記枢結点以外の部位をリンク機構を介して基台に連鎖可能に枢支し、
第１の使用位置と第２の使用位置との間に、背が起立姿勢と倒伏姿勢の中間姿勢をとりかつ座が最も後傾した姿勢をとる中間使用位置を設定していることを特徴とするリクライニングチェア。
【請求項２】
リンク機構が、基端を背の一部に枢着した第１リンクと、基端を基台の一部に枢着した第２リンクとを具備してなり、これら両リンクの先端を相互に枢結するとともに、前記枢結点と座の前部との間を第３リンクを介して連結したものであることを特徴とする請求項１記載のリクライニングチェア。
【請求項３】
第２の使用位置にある座の前部に略面一に連続させて可動足置きを配設し、この可動足置きを座及び背と共に連動させて、第１の使用位置において座の前部下方に鉛直ないし前傾姿勢で退避させ得るように構成していることを特徴とする請求項１記載のリクライニングチェア。
【請求項４】
第２の使用位置にある座の前部に略面一に連続させて可動足置きを配設し、この可動足置きを座及び背と共に連動させて、第１の使用位置において座の前部下方に鉛直ないし前傾姿勢で退避させ得るように構成しているものであって、第３リンクに可動足置きを設けていることを特徴とする請求項２記載のリクライニングチェア。
【請求項５】
座の前下方であって可動足置きの動作と干渉しない位置に、固定足置きを配設していることを特徴とする請求３又は４記載のリクライニングチェア。
【請求項６】
第１の使用位置と第２の使用位置との間の任意の位置で背及び座を固定する固定手段を具備していることを特徴とする請求項１、２、３、４又は５記載のリクライニングチェア。
【請求項７】
第１の使用位置と第２の使用位置との間の任意の位置で背及び座を固定する固定手段を具備し、固定手段が、座若しくは背と基台との間に配設したガススプリングを主体として構成されるものであり、このガススプリングを、座及び背を第１の使用位置に向かって付勢し得るように配設していることを特徴とする請求項１記載のリクライニングチェア。
【請求項８】
座の後部下面近傍を基台に枢着していることを特徴とする請求項１、２、３、４、５、６又は７記載のリクライニングチェア。
【請求項９】
座の側方に肘掛けを、第１の使用位置においては座から上方に突出し、第２の使用位置においては座と略面一なる位置にまで没入させ得るように設けてなることを特徴とする請求項１、２、３、４、５、６、７又は８記載のリクライニングチェア。
【発明の詳細な説明】
【０００１】
【発明の属する技術分野】
本発明は、高齢者や病人等の介護に適したリクライニングチェアに関するものである。
【０００２】
【従来の技術】
旧来において、椅子やテーブルなど一般に市販されているものは、一般的な健常者向けのものが殆どである。このため、高齢者や病人等あるいは介護者にとって、極めて使い勝手が悪く、過大な負荷が掛かるものが少なくない。そこで、近時における高齢化社会の到来に伴って、高齢者や介護者が使い易い家具が種々研究され、出回り始めているのは周知のところである。
【０００３】
【発明が解決しようとする課題】
しかして、このような観点に立って見たとき、高齢者や病人等のなかには、寝たり起きたりの生活を日々繰り返している者が少なくない。このため、必要に応じて着座状態からフラットなベッドにできる椅子があれば便利である。しかしながら、ベッドから背凭れとなる部分を起立させて椅子の状態にすること、或いはその逆の操作を行うことは、普通に考えても大変な労力であり、このような作業を日々繰り返さなければならない介護者や病院関係者に掛かる負荷は極めて大きいものがある。
【０００４】
【課題を解決するための手段】
上記の問題点を解消するために、本発明は、過大な操作力を必要とすることなく、椅子の状態とベッドの状態とを選択できるようにしたリクライニングチェアを提供しようとするものである。
【０００５】
【発明の実施の形態】
すなわち、本発明のリクライニングチェアは、基台に背を起倒可能に設け、この背に連動し得るように座を関連づけて、これら背及び座を、背が起立しかつ座が若干後傾した姿勢をとる第１の使用位置と、背が略水平に倒伏しかつ座が背と共に略面一な姿勢をとる第２の使用位置との間で移動させ得るようにしたものである。そして、その際に、前記座を基台に回動可能に枢着し、その座の後部に背の下端部を枢結するとともに、背及び座の前記枢結点以外の部位をリンク機構を介して基台に連鎖可能に枢支してなることを前提とする。
上記前提のもとで、本発明のリクライニングチェアは、背が起立姿勢と倒伏姿勢の中間姿勢をとりかつ座が最も後傾した姿勢をとる中間使用位置を設定していることを特徴としている。
【０００６】
このような構成のものであれば、このチェアを椅子としてもベッドとしても使用することができる。しかも、第２の使用位置から座を後傾させつつ背を起立させて第１の使用位置に変更する操作、或いは逆に第１の使用位置から第２の使用位置に変更する操作は、座の枢着点を中心として行われることとなる。このため、第１の使用位置においてこのチェアに着座した者を、重心をなるべく高い位置に持ち上げることなく第２の使用位置において仰向けの姿勢に移行させることができ、逆の操作も全く同等に行うことができるとともに、使用者が、普通に着座した状態と仰向けに寝た状態との中間的な安息姿勢をとれるようにすることができる。
【０００７】
リンク機構の具体的な実施の態様としては、基端を背の一部に枢着した第１リンクと、基端を基台の一部に枢着した第２リンクとを具備してなり、これら両リンクの先端を相互に枢結するとともに、前記枢結点と座の前部との間を第３リンクを介して連結するようにしているものが挙げられる。
【０００８】
その枢着点は、座のなかでも特に後部下面近傍であることが望ましい。
使用姿勢を任意にして実用性を高めるためには、第１の使用位置と第２の使用位置との間の任意の位置で背及び座を固定する固定手段を具備していることが好ましい。
【０００９】
仰向けに寝た際の姿勢を好適に安定させるためには、第２の使用位置にある座の前部に略面一に連続させて可動足置きを配設し、この可動足置きを座及び背と共に連動させて、第１の使用位置において座の前部下方に鉛直ないし前傾姿勢で退避させ得るように構成していることが効果的である。このような構成は、前記第１、第２、第３リンクを用いている場合には、当該第３リンクに可動足置きを設けておけばよい。
【００１０】
このような構成において、着座時の姿勢を安定させるためには、座の前下方であって可動足置きの動作と干渉しない位置に、固定足置きを配設していることが望ましい。
固定手段としては、座若しくは背と基台との間に配設したガススプリングを主体として構成し、このガススプリングを、座及び背を第１の使用位置に向かって付勢し得るように配設していることが特に有効である。
【００１１】
全体をより使い勝手の良好なものにするためには、座の側方に肘掛けを、第１の使用位置においては座から上方に突出し、第２の使用位置においては座と略面一なる位置にまで没入させ得るように設けておくことが好ましい。
【００１２】
【実施例】
以下、本発明の一実施例を、図面を参照して説明する。
この実施例のリクライニングチェアは、図１及び図２に示すように、基台１に背２を起倒可能に設け、この背２に連動し得るように座３を関連づけているものである。
【００１３】
詳述すると、基台１は、パイプ部材を枠体状に組み合わせて構成される左右一対の基台本体１１と、これら両基台本体１１の前下方間および後上方間を各々連結するパイプ状の横架材１２、１３とにより自立性を付与されてなるもので、各基台本体１１の前端及び後端にキャスタ１４を取着し、このキャスタ１４を介して床上を滑動可能とされている。この基台１には、横架材１２の長手方向中央部より斜め前下方及び略下方に延出させて固定ブラケット１５、１６が固設してある。
【００１４】
背２は、パイプ部材を該背２の外縁に沿ってコ字形に折り曲げてなる背受部２１と、この背受部２１の前面に脱落し得ないように取り付けたクッション性のある背本体２２とを具備してなるもので、前記背受部２１を構成するパイプ部材の端部２１ａが背２の下端近傍において該背２の背後へ屈曲させてある。
座３は、一対の側枠材３１ａの間を適宜の部材によって連結することにより構成される座受部３１と、この座受部３１の上面に脱落し得ないように取り付けたクッション材のある座本体３２とを具備してなる。
【００１５】
そして、座３の側縁をなす前記側枠材３１ａの後部下面近傍に内面を固設して対応する基台本体１１との間に下向コ字形のスペーサ３３を介在させ、このスペーサ３３の外壁に設けた図示しない孔を利用して該スペーサ３３を座受部３１もろとも基台１に枢着点ｍ回りに回動可能に枢着している。このスペーサ３３の後端には、三角板状の止着部１１ｘが一体形成され、内面側を同様に側枠材３１ａに固設してある。これに対して、背２の下端側には、前記止着部１１ｘの外側に隣接させて配設される三角板状のカバー２ｓが後端の一部を背２の背面に巻き込んだ状態で取り付けてある。しかして、前記止着部１１ｘとカバー２ｓとをそれらの頂点部分に設定した枢着点ｐ回りに枢着し、これによって背２の下端部２ｘの前面よりの部位と座３の後部３ｘの上面よりの部位とを前記枢着点ｐ回りに枢着している。なお、このカバー２ｓにより、背２の下端面と座３の後端面との間に拡縮される三角形状の隙間が常時隠蔽されて指詰め等が防止されるようにしている。そして、背受部２１の下端部２１ａと座３の前部３ｙとをリンク機構４を介して基台１に枢支している。
【００１６】
リンク機構４は、基端４１ａを背受部２１の下端２１ａに枢着点ｒ回りに枢着した第１リンク４１と、基端４２ａを基台１に固設した固定ブラケット１５に枢着点ｎ回りに枢着した第２リンク４２とを具備してなるもので、これら両リンク４１、４２の先端４１ｂ、４２ｂを相互に枢結するとともに、前記枢結点ｏと座３の前部３ｙとの間をＴ字形をなす第３リンク４３を介して連結したものである。すなわち、このリンク機構４は、背２が枢着点ｐ回りに回動するときは、図１→図３→図４に示すように第１、第２リンク４１、４２の変形動作を惹起し、これにより両リンク４１、４２の枢結点ｏを移動させて、第３リンク４３を介し座３の前部３ｙを枢着点ｍ回りに連動して回動させるものである。具体的には、これら背２及び座３を、背２が起立しかつ座３が若干後傾した姿勢をとる第１の使用位置Ａ（図４参照）と、背２が略水平に倒伏しかつ座３が背２と共に略面一な姿勢をとる第２の使用位置Ｂ（図１参照）との間で移動させ得るものである。その際、このリンク機構４は、第１の使用位置Ａと第２の使用位置Ｂとの間に、背２が起立姿勢と倒伏姿勢の中間姿勢をとりかつ座３が最も後傾した姿勢をとる中間使用位置Ｃ（図３参照）を経過的にとらしめるように設定している。
【００１７】
なお、この実施例は、第１の使用位置Ａと第２の使用位置Ｂとの間の任意の位置で背２及び座３を固定するために、固定手段５を設けている。この固定手段５は、背２の下端近傍に横架した横架材２ｚと基台１の横架材１２に固設した前記固定ブラケット１６との間に介在され図示しない可動部が開閉されることによって閉塞状態と伸縮可能状態とを切り換え得るガススプリング５１と、このガススプリング５１の可動部を開閉操作するハンドル５２とを具備している。ガススプリング５１はガス圧により伸長する方向が枢着点ｐを支点として背２を図１の状態から起立させる方向（したがって座３をリンク機構４を介して後傾させる方向）に配向されており、ハンドル５２は背２の上端近傍の背面における操作し易い位置に設けられて、フレキシブルチューブ５３を介してガススプリング５１の可動部に操作力伝達可能に接続されている。
【００１８】
また、この実施例は、図１に示す第２の使用位置Ｂにあるときの座３の前部３ｙに略面一に連続させて可動足置き６を配設している。この可動足置き６は、前記リンク機構４の第３リンク４３に取着されて一体的に作動するもので、この可動足置き６が座３及び背２と共に連動し、図４に示す第１の使用位置Ａにおいては座３の前部下方に鉛直ないし前傾姿勢で退避し得るように構成している。
【００１９】
更に、座３の前下方であって可動足置き６の動作と干渉しない位置に、固定足置き７を配設しており、また座３の側方に肘掛け８を支柱８ａを介して随意に突没可能に設けている。この肘掛け８は、第１の使用位置Ａにおいては座３から上方に突出させて使用していても、例えば第２の使用位置Ｂにおいて座３と略面一なる位置にまで没入させることができるようにしている。
【００２０】
以上のような構成のものであれば、このチェアを椅子としてもベッドとしても使用することができるので、高齢者や病人の日常生活に極めて有効に役立てることができる。しかも、第２の使用位置Ｂから座２を後傾させつつ背３を起立させて第１の使用位置Ａに変更する操作、或いは逆に第１の使用位置Ａから第２の使用位置Ｂに変更する操作は、座３の側縁に設定した枢着点ｍを中心として行われることとなるため、例えば背座一体形をなし背の側縁が基台に枢着されているような構造のものに比べて、第１の使用位置Ａにおいてこのチェアに着座した者を、重心をさほど高い位置に持ち上げることなく第２の使用位置Ｂにおいて仰向けの姿勢に移行させることができ、逆の操作も全く同等に行うことができる。したがって、介護者や病院関係者などにも極めて使い勝手の良好なものとなり得る。
【００２１】
その際、本実施例はその枢着点ｍを、座３の側縁のなかでも特に後部下面近傍に設定しているため、第１の使用位置Ａで着座した者の重心の略真下に枢着点ｍが位置し、かつ重心を殆ど持ち上げずに着座者が仰向けとなる第２の使用位置Ｂに移行させることができる。勿論、逆の操作時も同様である。
また、この実施例は、第１の使用位置Ａと第２の使用位置Ｂとの間に、背２が起立姿勢と倒伏姿勢の中間姿勢をとりかつ座３が最も後傾した姿勢をとる中間使用位置Ｃを設定しているため、使用者が普通に着座した状態と仰向けに寝た状態との中間的な安息姿勢をとることもできる。
【００２２】
更に、このものは第１の使用位置Ａと第２の使用位置Ｂとの間の任意の位置で背２及び座３を固定手段５を介して固定し得るようにしているため、使用姿勢を任意に選択して実用性と使い勝手を高めることができる。
特に、本実施例はリンク機構４を、基端４１ａを背２の一部に枢着した第１リンク４１と、基端４２ａを基台１の一部に枢着した第２リンク４２とを具備してなるものにし、これら両リンク４１、４２の先端４１ｂ、４２ｂを相互に枢結するとともに、前記枢結点ｏと座３の前部３ｙとの間を第３リンク４３を介して連結するようにしているだけであるため、機構的に極めて簡素な構成とすることができる。
【００２３】
加えて、第２の使用位置Ｂにある座３の前部３ｙに略面一に連続させて可動足置き６を配設し、この可動足置き６を座３及び背２と共に連動させて、第１の使用位置Ａにおいて座３の前部下方に鉛直ないし前傾姿勢で退避させ得るように構成しているため、仰向けにした際にかかと部分をこの可動足置き６に支持させて姿勢を安定させることができ、普通に着座したときには足の蹴り込みの邪魔にならない位置に可動足置き６を退避させておくことができる。図示実施例では略鉛直に退避させてあるが、前傾姿勢となるようにより大きく退避させれば着座時の足の干渉をより有効に防止することができる。その可動足置き６も、前記第３リンク４３に取り付けているだけであるため、別途新たな機構を持ち込むといった部品点数の増加も有効に回避することができる。
【００２４】
さらに、座３の前下方であって可動足置き６の動作と干渉しない位置に、固定足置き７を配設しているため、寝ている状態から着座姿勢に移ったとき等にこの固定足置き７に自然に足を接地させることができる。
さらに、前記固定手段５を、ガススプリング５１を利用して構成しているため、簡単かつ確実な固定状態を得ることができ、しかも、このガススプリング５１を、座３及び背２を第１の使用位置Ａに向かって付勢し得るように配設しているため、特にベッドの状態から通常の椅子の状態に戻すときの労力を半減させることができる。
【００２５】
さらにまた、座３の側方に肘掛け８を、第１の使用位置Ａにおいては座３から上方に突出させ、第２の使用位置Ｂにおいては座３と略面一なる位置にまで没入させ得るようにして配設しているため、通常の椅子として使用するときの姿勢をより安定させることができ、またベットの状態にしてフロアとの間で上がり下りをする際、特にそのために横移動をする際の動作の妨げとなることを有効に防止することができる。
【００２６】
なお、各部の具体的な構成は、図示実施例のものに限定されるものではなく、本発明の趣旨を逸脱しない範囲で種々変形が可能である。
【００２７】
【発明の効果】
本発明は、以上説明したような形態で実施され、以下に記載されるような効果を奏する。
すなわち、本発明のリクライニングチェアは、ベットとしても通常の椅子としても利用できるように座及び背を第１、第２の使用位置間で連鎖的に動作可能として高齢者等の利用に供し得るものであり、その際に座と基台との間に枢着点を設け、第１の使用位置と第２の使用位置との間に中間使用位置を設定しているものである。
このため、例えば、背一体形の座を背を支点に回動させるような構成のものに比べて、姿勢変更時の着座者の重心移動を極力小さく抑えて、介護者や病院関係者に掛かる負荷を有効に低減することが可能となるとともに、使用者に普通に着座した状態と仰向けに寝た状態との中間的な安息姿勢をとることも容易となる。
【００２８】
特に、リンク機構を、既述した第１、第２、第３リンクから構成しておけば、機構的に極めて簡素なものとすることができる。
【００２９】
また、その枢支点を座の後部下面近傍に設定しておけば、重心の持ち上がりを殆ど伴わないように構成することができ、上記の効果をより一層顕著なものにすることができる。
更に、第１の使用位置と第２の使用位置との間の任意の位置で背及び座を固定手段を介して固定できるようにしておけば、使用姿勢を任意に選択して実用的な取り扱いが可能になる。
【００３０】
加えて、可動足置きを、ベットの状態で座の前部に略面一に連設し、椅子の状態でその場から退避させるように構成しておけば、仰向けにした際の安定感と、椅子にしたときの適正な使用状態とを両立させることができる。その可動足置きも、前記第３リンクに取り付ければ、別段の機構を必要とせずに所望の動作を付与することができる。
【００３１】
さらに、座の前下方に、可動足置きの動作と干渉しない固定足置きを配設しておけば、可動足置きが退避しても着座者の足場を有効に確保することができる。さらにまた、固定手段をガススプリングにより構成すれば簡素で確実な固定状態が得られ、しかも姿勢変更する際の操作力を助勢して操作に掛かる負荷を有効に軽減することができる。
【００３２】
加えて、肘掛けを突没可能に設けておけば、椅子として使用するときの安定性の一層の向上と、ベッドとして使用するときの適正な使い勝手とを有効に両立させることができる。
【図面の簡単な説明】
【図１】本発明の一実施例を第２の使用位置において示す図。
【図２】同要部分解斜視図。
【図３】同実施例を中間使用位置において示す図。
【図４】同実施例を第１の使用位置において示す図。
【符号の説明】
１…基台
２…背
２ｘ…下端部
３…座
３ｘ…後部
３ｙ…前部
４…リンク機構
５…固定手段
６…可動足置き
７…固定足置き
８…肘掛け
４１…第１リンク
４２…第２リンク
４３…第３リンク
５１…ガススプリング
Ａ…第１の使用位置
Ｂ…第２の使用位置
Ｃ…中間使用位置
ｍ…枢着点
ｏ…枢結点
ｐ…枢結点
【図１】
0003561161.tif 000002
【図２】
0003561161.tif 000003
【図３】
0003561161.tif 000004
【図４】
0003561161.tif 000005